(57)【要約】【課題】  本発明は、簡易な方式で、ディスクの種類を判別し、記録及び／または再生動作にかかる時間を短縮させることが可能な情報記録再生装置を提供する。【解決手段】  ディスクトレイ７０において、予めディスクの種類に応じて対応付けられたトレイ位置ＤＡ〜ＤＣを設ける。そして、移動バーによりトレイ位置ＤＡ〜ＤＣのいずれかからチャッキング位置にまで光ディスクを搬送する搬送期間によりいずれのトレイ位置に載置された光ディスクであるかを判定する。これにより、制御部は、光ディスクをスピンドルモータにより回転させてデータの読み出しを実行しなくても、搬送期間によりその種類を判別することができる。【選択図】        図３
2007059023.tif 000002
【特許請求の範囲】
【請求項１】
複数のディスクの種類にそれぞれ対応して設けられた複数のトレイ位置を有するディスクトレイと、
前記ディスクトレイの前記複数のトレイ位置のいずれか１つに載置されたディスクをチャッキング位置に搬送するためのディスク搬送機構と、
前記ディスク搬送機構により前記ディスクトレイの前記複数のトレイ位置のいずれか１つに載置された前記ディスクが前記チャッキング位置に搬送される搬送時間に基づいて、前記ディスクの種類を判別し、判別結果に基づいて、前記ディスクの種類に対応するピックアップ制御を実行する制御回路とを備え、
前記ディスク搬送機構は、
ディスクと接触して前記ディスクを搬送する搬送バーと、
前記ディスクとの接触を検知する検出器とを含み、
前記制御回路は、前記検出器の検知結果に基づいて、前記ディスクの搬送時間を計測する計測器を含む、情報記録再生装置。
【請求項２】
複数のディスクの種類にそれぞれ対応して設けられた複数のトレイ位置を有するディスクトレイと、
前記ディスクトレイの前記複数のトレイ位置のいずれか１つに載置されたディスクをチャッキング位置に搬送するためのディスク搬送機構と、
前記ディスク搬送機構により前記ディスクトレイの前記複数のトレイ位置のいずれか１つに載置された前記ディスクが前記チャッキング位置に搬送される搬送時間に基づいて、前記ディスクの種類を判別し、判別結果に基づいて、前記ディスクの種類に対応するピックアップ制御を実行する制御回路とを備えた、情報記録再生装置。
【請求項３】
前記ディスク搬送機構は、
ディスクと接触して前記ディスクを搬送する搬送バーと、
前記ディスクとの接触を検知する検出器とを含み、
前記制御回路は、前記検出器の検知結果に基づいて、前記ディスクの搬送時間を計測する計測器を含む、請求項２記載の情報記録再生装置。
【発明の詳細な説明】
【技術分野】
【０００１】
本発明は、例えばＣＤ（Compact Disc）やＤＶＤ（Digital Versatile Disc）等の光ディスクに対して、情報の記録及び／又は再生を行なう情報記録再生装置に関する。
【背景技術】
【０００２】
従来から、ＣＤやＤＶＤ等の同心円状又は渦巻状に情報記録トラックが形成された光ディスクに対し、光ピックアップと呼ばれる光ヘッドにより、情報の記録及び／又は再生を行なう情報記録再生装置がある。光ピックアップは、半導体レーザ等の光ビームを対物レンズにより光ディスク上に集光照射すると共に、光ディスク上に照射した光の反射光を受光してそれに応じた電気信号を出力する構成となっており、光ディスクの半径方向に移動するようになっている。
【０００３】
情報記録再生装置は、光ピックアップを光ディスク上の所定の位置へ移動させ、光ディスクを回転させながら、光ピックアップからの光を光ディスクの記録トラックに集光照射することで、光ディスクに対して情報の記録及び／又は再生を行なう。
【０００４】
光ディスクからの情報の再生にあたっては、まず、光ピックアップから照射する光の集光点が光ディスク面上に位置するようにフォーカスオン（フォーカス引き込み）させ、さらに、フォーカスオンさせた光が記録トラック上に位置するようにトラックオン（トラック引き込み）させる。これらフォーカスオン及びトラックオンは、光ピックアップから出力される電気信号に応じて、対物レンズを光ディスク面に垂直な方向及び記録トラックに垂直な方向に移動させることで行なわれる。そして、フォーカスオン及びトラックオンさせた状態で光ピックアップから出力される電気信号に基づいて、光ディスクに形成されているピットが検出され、これにより光ディスクから情報が読取られ、その情報が再生される。光ディスクへの情報の記録は、光ピックアップから光ディスク上に集光照射する光により、光ディスクの記録トラックにピットを形成することにより行なわれる。
【０００５】
一方で、光ディスクについては、近年種々のメディアが開発され、再生専用型、追記型、あるいは書き換え型と、その用途により多種のものが存在する。また、ＣＤとＤＶＤとは、記録再生に用いる光源の波長に差がある。
【０００６】
したがって、情報記録再生装置においては、挿入されたメディアがどのような種類のものであるか、ディスク判別をすることが重要となってくる。
【０００７】
これに伴い、ディスク判別等に多くの時間を要することになり、すぐに記録及び／または再生動作を実行することが難しくなってくるという問題がある。
【０００８】
特開２００５−４９５１号公報においては、ディスクの種類に応じてそれぞれ対応するトレイ位置に搬送することにより記録及び／または再生動作にかかる時間を短縮させる方式が開示されている。
【特許文献１】特開２００５−４９５１号公報
【発明の開示】
【発明が解決しようとする課題】
【０００９】
しかしながら、特許文献１には、トレイ位置にそれぞれ搬送するための搬送機構を設けた構成を開示しているが、内部構造が複雑であり、コストも高くなる可能性もある。
【００１０】
本発明は、簡易な方式で、ディスクの種類を判別し、記録及び／または再生動作にかかる時間を短縮させることが可能な情報記録再生装置を提供することを目的とする。
【課題を解決するための手段】
【００１１】
本発明に係る情報記録再生装置は、複数のディスクの種類にそれぞれ対応して設けられた複数のトレイ位置を有するディスクトレイと、ディスクトレイの複数のトレイ位置のいずれか１つに載置されたディスクをチャッキング位置に搬送するためのディスク搬送機構と、ディスク搬送機構によりディスクトレイの複数のトレイ位置のいずれか１つに載置されたディスクがチャッキング位置に搬送される搬送時間に基づいて、ディスクの種類を判別し、判別結果に基づいて、ディスクの種類に対応するピックアップを実行する制御回路とを備える。ディスク搬送機構は、ディスクと接触してディスクを搬送する搬送バーと、ディスクとの接触を検知する検出器とを含み、制御回路は、検出器の検知結果に基づいて、ディスクの搬送時間を計測する計測器を含む。
【００１２】
本発明に係る情報記録再生装置は、複数のディスクの種類にそれぞれ対応して設けられた複数のトレイ位置を有するディスクトレイと、ディスクトレイの複数のトレイ位置のいずれか１つに載置されたディスクをチャッキング位置に搬送するためのディスク搬送機構と、ディスク搬送機構によりディスクトレイの複数のトレイ位置のいずれか１つに載置されたディスクがチャッキング位置に搬送される搬送時間に基づいて、ディスクの種類を判別し、判別結果に基づいて、ディスクの種類に対応するピックアップを実行する制御回路とを備えた。
【００１３】
好ましくは、ディスク搬送機構は、ディスクと接触してディスクを搬送する搬送バーと、ディスクとの接触を検知する検出器とを含み、制御回路は、検出器の検知結果に基づいて、ディスクの搬送時間を計測する計測器を含む。
【発明の効果】
【００１４】
本発明に係る情報記録再生装置は、ディスクをチャッキング位置に搬送する搬送時間に基づいてディスクの種類を判別するため、ディスクに対してピックアップを実行してディスクの種類を判別する必要が無く、記録／再生時間の準備期間を短縮することが可能となる。
【発明を実施するための最良の形態】
【００１５】
以下、本発明の実施の形態について図面を参照しながら詳細に説明する。なお、図中同一または相当部分には同一符号を付し、その説明は繰返さない。
【００１６】
図１は、本発明の実施の形態に従う情報記録再生装置の概略ブロック図である。
図１を参照して、情報記録再生装置１は、ＣＤやＤＶＤ等の同心円状又は渦巻状の情報記録トラックが形成された光ディスクに対して、音楽や映像等の情報の記録及び／又は再生を行なう。
【００１７】
情報記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、情報記録再生装置１は、映像・音声信号入出力部１０と、リモコン１１と、リモコン受信部１２と、表示部１３と、及び上記各部を制御するための制御部２０と、ディスクトレイ７０と、ディスク搬送部７５とを備えている。
【００１８】
ディスク挿入検知部２は、光ディスクが不図示のディスク挿入部から挿入されてディスクトレイ７０に載置されたことを検出し、その信号を制御部２０へ入力する。挿入された光ディスクは、ディスク搬送部７５により所定のチャッキング位置にまで搬送され、スピンドルモータ３に装着される。スピンドルモータ３は、制御部２０からの指示に従い回転駆動され、装着された光ディスクが所定速度で回転するように制御する。
【００１９】
光ピックアップ４は、光ディスクに対して情報の記録及び／又は再生を行なうための光を照射すると共に、光ディスクからの反射光を受光して電気信号に変換出力するものであり、制御部２０からの指示に基づきリニアモータから成る移動モータ５により光ディスク上でその半径方向に移動される。
【００２０】
この光ピックアップ４は、半導体レーザ４１から出射された光をコリメートレンズ４２、ビームスプリッタ４３および対物レンズ４４を介して光ディスク上に集光照射する。また、光ディスク上からの反射光を対物レンズ４４、ビームスプリッタ４３、及び集光レンズ４５を介して光検知器４６で受光する。
【００２１】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２２】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスクのディスク面と垂直な方向へ移動させるものである。また、トラッキングコイル４９は、同様に、対物レンズ４４を光ディスクのディスク面と平行に光ディスクの記録トラックと垂直な方向へ移動させるものである。
【００２３】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスクに形成されているピットを検出する。
【００２４】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスクに照射する光の集光点の光ディスク面からのずれ量に対応する信号であり、トラックエラー信号は、集光点の記録トラックからのずれ量に対応する信号である。
【００２５】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスクのディスク面上、かつ、記録トラック上に位置するようにサーボ制御する。
【００２６】
映像・音声信号入出力部１０には、不図示のディスプレイやスピーカ、テレビ受像機等の外部装置が接続され、光ディスクから再生した映像信号や音声信号の出力や、外部装置からの映像信号や音声信号の入力が行なわれる。
【００２７】
リモコン１１は、情報記録再生装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、情報記録再生装置１本体のフロントパネルに設けられ、リモコン１１により操作された内容や情報記録再生装置１の動作状況等を表示する。
【００２８】
ここで、光ディスクに対する情報の記録／再生について説明する。まず、光ディスクからの情報の再生は、スピンドルモータ３により光ディスクを所定速度で回転させながら、半導体レーザ４１からの光を光ディスクに照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００２９】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３０】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスクに形成されているピットの有無を検出して光ディスクに記録されている情報を読取り、読取った情報を映像信号や音声信号に再生して、映像・音声信号入出力部１０から外部装置へ出力する。
【００３１】
また、光ディスクへの情報の記録は、同様に、フォーカシング及びトラッキングのサーボ状態で、半導体レーザ４１からの光により光ディスク上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスクの記録トラックに形成され、映像や音声の情報が記録される。ピットの形成は、半導体レーザ４１を情報の読取り時よりも高出力で発光させることにより可能としている。
【００３２】
上記構成の情報記録再生装置１は、制御部２０による制御のもと、リモコン１１を操作することにより、光ディスクからの情報の再生や、光ディスクへの情報の記録等を行なう。また、情報記録再生装置１は、制御部２０による制御のもと、光ディスクが挿入されて、ディスクトレイ７０に載置されたことをディスク挿入検知部２が検知すると、制御部２０は、ディスク搬送部７５に光ディスクを搬送するように指示する。具体的には、ディスク搬送部７５は、ディスクトレイ７０に載置された光ディスクを所定のチャッキング位置まで搬送する搬送動作を実行する。そして、その後、光ディスクの最内周側に記録されている情報を読取る初期動作を行なう。そして、本発明の実施の形態においては、この上記の搬送動作および初期動作で読取った情報に基づいて、挿入された光ディスクの種類や記録内容を判断し、その後の情報の記録や再生等の動作を制御する。
【００３３】
なお、制御部２０には、図示しないが記憶領域が設けられており、各種、搬送動作の実行を指示するための制御プログラムあるいは初期動作たとえば、スピンアップ動作を実行するための制御プログラム等、種々の制御プラグラムを格納しているものとする。
【００３４】
以下、本発明の実施の形態に従うディスクトレイ７０およびディスク搬送部７５について説明する。本発明の実施の形態においては、ディスクトレイ７０に光ディスクの種類に応じて載置する複数のトレイ位置を設けるものとする。
【００３５】
図２は、本発明の実施の形態に従うディスクトレイ７０を説明する図である。
ここでは、ディスクトレイ７０を上方から見た図が示されている。
【００３６】
本発明の実施の形態に従うディスクトレイ７０には、一例として複数のトレイ位置が設けられる。本例においては、第１〜第３のトレイ位置ＤＡ〜ＤＣが設けられている。なお、第１のトレイ位置ＤＡは、スピンドルモータ３により光ディスクを回転させるためのチャッキング位置でもある。たとえば、トレイ位置ＤＡは、書込可能なＤＶＤたとえば一例として追記型のＤＶＤ−Ｒあるいは書き替え可能なＤＶＤ−ＲＷに対応しているものとする。また、トレイ位置ＤＢは、読出専用のＤＶＤたとえば一例としてＤＶＤ−ＲＯＭに対応しているものとする。また、トレイ位置ＤＣは、ＣＤに対応しているものとする。
【００３７】
そして、図２においては、ディスクトレイ７０に載置された光ディスクを搬送するための移動バー８５と、移動バー８５の伸縮を制御するバー伸縮部８７が示されている。
【００３８】
本実施の形態においては、移動バー８５により光ディスクを所定のチャッキング位置まで押して搬送するものとする。そして、予め種類に応じて決められたトレイ位置からチャッキング位置までの移動バー８５による光ディスクの搬送期間に従ってディスク判別を実行する方式である。
【００３９】
図３は、ディスクトレイ７０と、ディスク搬送部７５の構成を説明する図である。
図３を参照して、ディスクトレイ７０には、第１〜第３のトレイ位置ＤＡ〜ＤＣが示されており、それぞれ階段上に位置がずれて光ディスクを載置することができるようにトレイ位置が設けられている。
【００４０】
ディスク搬送部７５は、検出器（スイッチ）８０と、バネ８８と、バー伸縮部８７と、移動バー８５とを含む。
【００４１】
ここで、検出器（スイッチ）８０は、プッシュスイッチでありスイッチ８６を押すことにより駆動するものである。検出器８０のスイッチ８６は、バネ８８を介してバー伸縮部８７と一直線上になるように配置されている。また、バー伸縮部８７は、移動バー８５を伸縮して光ディスクと接触し、チャッキング位置まで搬送する。
【００４２】
ここで、光ディスクの搬送について説明する。たとえば、バー伸縮部８７が動作して移動バー８５を動かしていくとトレイ位置に載置された光ディスクと接触することになる。ここで、トレイ位置ＤＣに光ディスクを載置した場合には、移動バー８５の移動により光ディスクが載置されたトレイ位置ＤＣで光ディスクと接触する。そして、バー伸縮部８７により光ディスクを押すことになるが、その際、光ディスクへの応力に対する反発力によりバネ８８を介してスイッチ８６が押される。これにより、検出器（スイッチ）８０がオンする。検出器８０がオンすると、電気的に接続された制御部２０内のタイマ８９が動作して光ディスクの搬送期間をカウントする。
【００４３】
同様に、トレイ位置ＤＢに光ディスクを載置した場合においても、トレイ位置ＤＢにおいて、移動バー８５が光ディスクと接触して、検出器（スイッチ）８０がオンする。そして、移動バー８５は、バー伸縮部８７によりトレイ位置ＤＡまで光ディスクを押してチャッキング位置へと搬送する。バー伸縮部８７は、トレイ位置ＤＡまで光ディスクを押した後は、移動バーを縮める。これにより、光ディスクと移動バーとは被接触となるためバネ応力によりスイッチ８６が元に戻る。すなわち、検出器（スイッチ）８０がオフとなり、タイマ８９は、搬送期間のカウントを停止する。したがって、タイマ８９は、光ディスクをトレイ位置からチャッキング位置まで搬送する際の搬送期間をカウントすることができる。
【００４４】
たとえば、トレイ位置ＤＣに光ディスクが載置された場合には、搬送期間は第１の期間となる。また、トレイ位置ＤＢに光ディスクが載置された場合には、搬送期間は第２の期間となる。また、トレイ位置ＤＡに光ディスクが載置された場合には、搬送期間は０となる。なお、ここでは、トレイ位置ＤＡとチャッキング位置が同じ位置であるため搬送期間は０であるが、トレイ位置ＤＡがチャッキング位置から少しずれているような場合には、搬送期間は第３の期間となる。以下においては、トレイ位置ＤＡに光ディスクが載置された場合には、搬送期間は第３の期間として説明する。
【００４５】
図４は、本発明の実施の形態に従う情報記録再生装置の動作を説明するフローチャート図である。
【００４６】
図４を参照して、まず、情報記録再生装置の電源が投入されて装置が動作加納状態となる（ステップＳ０）。そして、次に、光ディスクがディスクトレイ７０に載置される（ステップＳ１）。ディスク挿入検知部２は、光ディスクがディスクトレイ７０に載置されたと判断した場合には、それを検知して制御部２に検知信号を出力する。制御部２０は、ディスク挿入検知部２からの検知信号に基づいてディスク搬送部７５を制御する。具体的には、ディスク搬送部７５は、制御部２０からの指示のもと、上述したようにバー伸縮部８７により光ディスクをチャッキング位置まで搬送する。
【００４７】
そして、チャッキング位置に搬送された光ディスクは、スピンドルモータ３により回転されてディスク判別が実行され（ステップＳ２）、挿入された光ディスクの種類や記録内容が判断されて準備動作が完了し、記録あるいは再生動作が実行される（ステップＳ３）。
【００４８】
次に、図５のフローチャート図を用いて、図４のステップＳ２に従うディスク判別について説明する。
【００４９】
まず、ディスク判別が実行される（ステップＳ１０）と、光ディスクの搬送期間が第１の期間であるか否かが判断される（ステップＳ１１）。ステップＳ１で第１の期間であると判断された場合には、光ディスクはＣＤであると判定される（ステップＳ１２）。そして、ＣＤ用のスピンアップ処理が実行される（ステップＳ１３）。例えば、ＣＤとＤＶＤとでは、使用されるレーザ光の波長が７８０ｎｍと６５０ｎｍとでそれぞれ異なる。したがって、ここでは、光ディスクはＣＤであると判定しているためＣＤ用のレーザ光の波長７８０ｎｍを用いてＣＤの最内周に書込まれた規格データを読み込み、ＣＤからの読み出しについて成功したかどうかを判断する（ステップＳ１４）。
【００５０】
そして、ステップＳ１４において、読み出しが成功した場合には、ＣＤの記録／再生準備が完了する（ステップＳ１５）。そして、図４のステップＳ３によりメディアに応じた記録／再生動作が実行される。なお、上記のステップＳ１３において実行されるＣＤ用のスピンアップ処理については、メディアの特性すなわち読出専用のＣＤ−ＲＯＭ、書込可能であるが追記型のＣＤ−Ｒあるいは書き替え可能なＣＤ−ＲＷ等の判別も実行されているものとする。
【００５１】
一方、読み出しが失敗した場合には、メディアがＣＤではない可能性があるためメディア判定を実行する（ステップＳ１６）。そして、スピンアップ処理を実行する（ステップＳ１７）。そして、読み出しが成功するかどうかが判定される（ステップＳ２９）。なお、ここでは、メディアの種類が特定出来ていない状態であるため、ＣＤあるいはＤＶＤのいずれであるかを判定するとともに、追記型あるいは書き替え型か等を判定して、メディアが特定されて読み出しが成功するまで種々のスピンアップ処理が実行される。そして、メディア特定後、メディアの種類および特性に応じた記録／再生準備が完了する（ステップＳ３０）。したがって、例えば、ユーザがメディアに対応するトレイ位置を誤って選択した場合であっても、通常のスピンアップ処理を実行することによりメディアを特定して記録／再生準備を完了することができる。
【００５２】
ここで、従来のスピンアップ処理すなわち通常のスピンアップ処理について説明する。
図６は、従来のスピンアップ処理を説明するフローチャート図である。
【００５３】
図６を参照して、通常のスピンアップ処理において、まずディスクがセットされる（ステップＳ３０）。そして、機器のパラメータ等の各種設定が行われる（各種調整１）（ステップＳ３１）。次に、たとえばディスクの種類を特定するための判別動作を実行するための測定準備がされる（ディスク種類判別用測定準備）（ステップＳ３２）。そして、次にディスクから得られる信号を測定して、メディアの種類を判別する（ディスク種類判別用測定，判別）（ステップＳ３３）。すなわち、メディアすなわちディスクの種類としてＣＤあるいはＤＶＤいずれであるかどうかを判別する。
【００５４】
次に、メディアの種類を判別した結果に基づいて機器の設定をいずれか一方の設定値に反映させる（ステップＳ３４）。また、この際、機器のパラメータ等の各種設定も行なう（各種調整２）（ステップＳ３５）。
【００５５】
上述したように読出専用であるか書込可能であるが追記型あるいは書き替え型か等のメディアの特性を判定する必要がある。
【００５６】
したがって、次に、ディスクの特性を特定するための判別動作を実行するための測定準備がされる（ディスク特性判別用測定準備）（ステップＳ３６）。そして、次に、ディスクから得られる信号を測定して、メディアの特性を判別する（ディスク特性判別用測定，判別）（ステップＳ３７）。すなわち、メディアの特性すなわち読出専用のＲＯＭ、書込可能であるが追記型のＲあるいは書き替え可能なＲＷ等のいずれであるかを判別する。次に、メディアの特性を判別した結果に基づいて機器の設定をメディアの特性に合わせて反映させる（ステップＳ３８）。また、この際、機器のパラメータ等の各種設定も行なう（各種調整３）（ステップＳ３９）。これで、ディスクのスピンアップ処理に伴うディスクマウントを終了する（ステップＳ４０）。
【００５７】
したがって、上述したように図５のステップＳ１３において、ＣＤ用のスピンアップ処理を実行する場合、メディアはＣＤであると仮定して、それに対応してメディアの特性が判定されるのみであるためディスク判別に要する時間を短縮化することができる。すなわち、上記のＣＤ用のスピンアップ処理においては、図６で説明したディスク種類判別用測定準備（ステップＳ３２）、ディスク種類判別用測定，判別（ステップＳ３３）および判別結果を設定に反映する（ステップＳ３４）必要がなく、かかるステップの削除により高速なスピンアップ処理すなわちディスク判別を実行することができる。
【００５８】
再び、図５を参照して、ステップＳ１１において、光ディスクの搬送期間が第１の期間でないと判断された場合には、次に、光ディスクの搬送期間が第２の期間であるかどうかが判断される（ステップＳ１８）。
【００５９】
ステップＳ１８において、光ディスクの搬送期間が第２の期間であると判断された場合には、読出専用のＤＶＤ−ＲＯＭであると判定される（ステップＳ１９）。そして、ＤＶＤ−ＲＯＭ用のスピンアップ処理が実行される（ステップＳ２０）。そして、ＤＶＤ−ＲＯＭの最内周に書込まれた規格データを読み込み、ＤＶＤ−ＲＯＭであるかどうかを確認する。すなわち、ＤＶＤ−ＲＯＭからの読み出しが成功したかどうかを判断する（ステップＳ２１）。読み出しが成功した場合には、ＤＶＤ−ＲＯＭの再生準備が完了する（ステップＳ２２）。そして、図４のステップＳ３によりメディアに応じた再生動作が実行される。ここで、ＤＶＤ−ＲＯＭ用のスピンアップ処理としては、既にメディアの種類および特性がＤＶＤ−ＲＯＭであると仮定されているためサーボ制御およびパラメータ調整等の各種調整等を行なうのみでよく、図６で説明したようなディスクの種類および特性の判別処理を実行する必要がなく、かかるステップの削除により高速なスピンアップ処理を実行することができる。
【００６０】
一方、読み出しが失敗した場合には、メディアがＤＶＤ−ＲＯＭではない可能性があるためステップＳ１６に進み、メディア判定を実行する。そして、上述したのと同様の処理が実行される。
【００６１】
ステップＳ１８において、光ディスクの搬送期間が第２の期間でないと判断された場合には、次に、光ディスクの搬送期間が第３の期間であるかどうかが判断される（ステップＳ１８）。
【００６２】
ステップＳ２３において、光ディスクの搬送期間が第３の期間であると判断された場合には、書込可能なディスクであるＤＶＤ−ＲあるいはＤＶＤ−ＲＷであると判定される（ステップＳ１９）。そして、ＤＶＤ−ＲあるいはＤＶＤ−ＲＷ用のスピンアップ処理が実行される（ステップＳ２０）。そして、ＤＶＤ−ＲあるいはＤＶＤ−ＲＷのいずれか一方を特定して、ＤＶＤ−ＲあるいはＤＶＤ−ＲＷの最内周に書込まれた規格データを読み込み、特定したメディアが適切なメディアであるかどうかを確認する。すなわち、特定したＤＶＤ−ＲあるいはＤＶＤ−ＲＷからの読み出しが成功したかどうかを判断する（ステップＳ２１）。読み出しが成功した場合には、ＤＶＤ−ＲあるいはＤＶＤ−ＲＷの記録／再生準備が完了する（ステップＳ２２）。そして、図４のステップＳ３によりメディアに応じた記録／再生動作が実行される。ここで、ＤＶＤ−ＲあるいはＤＶＤ−ＲＷ用のスピンアップ処理としては、既にメディアの種類および特性がＤＶＤ−ＲあるいはＤＶＤ−ＲＷであると仮定されているためサーボ制御およびパラメータ調整等の各種調整等に加えて、いずれか一方のディスクであるかを判別すればよい。すなわち、図６で説明したようなディスクの種類の判別処理を実行する必要がなく、さらに、ディスクの特性の判別においても、ＤＶＤ−ＲあるいはＤＶＤ−ＲＷであると仮定しているため高速な判別処理が可能となる。
【００６３】
一方、読み出しが失敗した場合には、メディアがＤＶＤ−ＲあるいはＤＶＤ−ＲＷではない可能性があるためステップＳ１６に進み、メディア判定を実行する。そして、上述したのと同様の処理が実行される。
【００６４】
なお、ステップＳ２３において、搬送期間が第３の期間ではない場合には、メディアが載置されていないと判断して、エラー判定とする（ステップＳ２８）。
【００６５】
本実施の形態においては、予めディスクトレイ７０において、予めディスクの種類に応じて対応付けられたトレイ位置を設けるとともに、チャッキング位置にまで光ディスクを搬送する搬送期間によりいずれのトレイ位置に載置された光ディスクであるかを判定する。すなわち、制御部２０は、光ディスクをスピンドルモータ３により回転させてデータの読み出しを実行しなくても、搬送期間によりその種類を判別することができる。
【００６６】
上述したように、メディアの種類に応じてレーザの波長も異なり、通常メディア判定の場合には、ＣＤ用のレーザ、あるいはＤＶＤ用のレーザでそれぞれメディアの読み込みが可能かどうかを判定し、そして、読出専用か追記型か、書き替え型か等を判定する必要があるため判定処理にかなりの時間がかかる可能性が高い。
【００６７】
本実施の形態においては、ＣＤあるいは、ＤＶＤか否かをユーザがディスクトレイ７０のトレイ位置で選択することによりこの判別動作にかかる時間を短縮することが可能となる。また、メディアの特性として読出専用か追記型か書き替え型か等によってフォーマットの種類が異なり、データ構造も異なるため予めそのフォーマットの種類が確定していれば判定動作も高速に実行することができる。
【００６８】
なお、本例においては、ＣＤの場合においては、１つのトレイ位置しか設けていない構成について一例として説明したが、ＣＤの場合も追記型か書き替え型等種々の種類があるためＤＶＤの用に予めメディアの特性毎にトレイ位置を複数設けて判定動作を短縮することも可能である。
【００６９】
なお、ここでは、３つのトレイ位置を設けた構成を一例として説明したが、メディアの種類および特性に応じてさらに複数のトレイ位置を設けてメディアを特定するための判定動作を短縮することも可能である。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態に従う情報記録再生装置の概略ブロック図である。
【図２】本発明の実施の形態に従うディスクトレイ７０を説明する図である。
【図３】ディスクトレイ７０と、ディスク搬送部７５の構成を説明する図である。
【図４】本発明の実施の形態に従う情報記録再生装置の動作を説明するフローチャート図である。
【図５】図４のステップＳ２に従うディスク判別について説明するフローチャート図である。
【図６】従来のスピンアップ処理を説明するフローチャート図である。
【符号の説明】
【００７２】
１  情報記録再生装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、２０  制御部、７０  ディスクトレイ、７５  ディスク搬送部、８０  検出器、８５  移動バー、８６  スイッチ、８７  バー伸縮部、８８  バネ、８９  タイマ。
【図１】
2007059023.tif 000003
【図２】
2007059023.tif 000004
【図３】
2007059023.tif 000005
【図４】
2007059023.tif 000006
【図５】
2007059023.tif 000007
【図６】
2007059023.tif 000008